(57)【要約】【課題】天草特有の臭いを抑えると共に、植物油などと効率よく且つムラなく混合することが可能な天草エキス（寒天）及び天草エキスの製造方法を提供し、また、この天草エキスを添加した石鹸及び石鹸の製造方法を提供する。【解決手段】天草を溶かした湯を濾し、得られた液体を冷却して固まらせる。そして、ゼリー状に液体が固まったら、凍結、解凍、洗浄の工程を複数回繰り返して、脱臭及び精製を行い、精製した寒天繊維を加熱、冷却してゼリー状に固め、粉砕して天草エキスを製造する。そして、このゼリー状の天草エキスを苛性ソーダ水溶液に添加し、オイルと混合して石鹸を製造する。  【選択図】  なし【特許請求の範囲】
【請求項１】
天草エキスにおいて、
天草から作成した寒天を凍結させた後に解凍、洗浄して不純物を除去し、不純物を除去した前記寒天を溶解して作成された
ことを特徴とする天草エキス。
【請求項２】
粉砕されていることを特徴とする請求項１記載の天草エキス。
【請求項３】
天草エキスの製造方法において、
天草から寒天を作成する工程と、
前記寒天を凍結させた後に解凍、洗浄して不純物を除去する脱臭・精製工程と、
不純物を除去した前記寒天から寒天を作成する工程と
を具備することを特徴とする天草エキスの製造方法。
【請求項４】
不純物を除去した前記寒天から作成した寒天を粉砕する工程をさらに具備することを特徴とする請求項１記載の天草エキスの製造方法。
【請求項５】
ゲル状の天草エキスが添加された石鹸素地を整形して製造されたことを特徴とする石鹸。
【請求項６】
前記天草エキスは、粉砕されて前記石鹸素地に加えられていることを特徴とする請求項５記載の石鹸。
【請求項７】
マルセイユ石鹸製法を用いて製造されたことを特徴とする請求項５または６記載の石鹸。
【請求項８】
石鹸の製造方法において、
ゲル状の天草エキスが添加された石鹸素地を整形して製造する
ことを特徴とする石鹸の製造方法。
【請求項９】
石鹸の製造方法において、
ゲル状の天草エキスを苛性ソーダ水溶液に添加する工程と、
前記苛性ソーダ水溶液とオイルとを混合する工程と
を具備することを特徴とする石鹸の製造方法。
【請求項１０】
前記天草エキスは、粉砕されていることを特徴とする請求項８または９記載の石鹸の製造方法。
【請求項１１】
マルセイユ石鹸製法を用いて製造することを特徴とする請求項８乃至１０記載の石鹸の製造方法。
【発明の詳細な説明】
【技術分野】
【０００１】
本発明は、天草エキス、天草エキスの製造方法、石鹸及び石鹸の製造方法に関し、特に、石鹸などに利用可能な天草エキス、天草エキスの製造方法、及びこの天草エキスを利用した石鹸、石鹸の製造方法に関する。
【背景技術】
【０００２】
入浴時や洗顔などに使用する石鹸として、ヨモギエキスやレモンエキス、ハーブエキスなどのエキスを配合した石鹸が提案されている（例えば、特許文献１参照）。
【特許文献１】特開２００２−３６３０６５号公報
【発明の開示】
【発明が解決しようとする課題】
【０００３】
しかし、天草から抽出した天草エキス（寒天成分）を添加した石鹸を製造する場合は、次のような問題があった。
【０００４】
まず、天草から作成した天草エキスである寒天をそのまま添加して製造された石鹸は、天草特有の臭いが非常に強く、また、エッセンシャルオイルなどで香りを付けるとしても、この天草の臭いが邪魔をして、所望の香りを付けることが困難であった。
【０００５】
また、ゼリー状に固まって凝固した寒天は、８０℃以上に熱しなければ完全に溶けず、植物油や苛性ソーダと、寒天（天草エキス）とを混合する４０℃前後の温度では、寒天が溶解せず、寒天と植物油などとをムラなく混ぜ合わせることが困難であった。
【０００６】
そして、仮に、寒天を８０℃以上に熱して溶解させて植物油などと混合させたとしても、植物油などの温度が４０℃前後であるため温度差が大きく、混合物にムラが生じ、寒天の偏りが生じたり、石鹸の部分によって硬さが異なるなどの問題があった。
【０００７】
なお、寒天を一旦煮出して溶解させた後、徐々に溶解した寒天を冷まし、固まる前に植物油などと混合することによって、寒天と植物油などとをムラなく混ぜ合わせることも可能であるが、この方法では、混合作業を行う都度、寒天を煮出し、徐々に冷まさなければならず、効率的に石鹸を製造することができなかった。
【０００８】
さらに、寒天は生物であるため腐敗し易く、冷蔵保存する必要があるが、寒天は冷えると凝固してしまい、石鹸の製造に適した形態で保存することが困難であった。
【０００９】
そこで、本発明では、天草特有の臭いを抑えると共に、植物油などと効率よく且つムラなく混合することが可能な天草エキス（寒天）及び天草エキスの製造方法を提供し、また、この天草エキスを添加した石鹸及び石鹸の製造方法を提供することを目的とする。
【課題を解決するための手段】
【００１０】
本発明における天草エキスは、天草から作成した寒天を凍結させた後に解凍、洗浄して不純物を除去し、不純物を除去した前記寒天を溶解して作成されたことを特徴とする。
【００１１】
この構成では、天草特有の臭いが脱臭され、また、天草エキスを冷蔵保存することができる。
【００１２】
また、天草エキスは、粉砕されていることにより、石鹸素地などに加えられた際に偏りなく混合することができる。
【００１３】
次に、本発明における天草エキスの製造方法は、天草から寒天を作成する工程と、前記寒天を凍結させた後に解凍、洗浄して不純物を除去する脱臭・精製工程と、不純物を除去した前記寒天から寒天を作成する工程とを具備する。
【００１４】
この構成では、天草特有の臭いを脱臭すると共に、冷蔵保存の可能な天草エキスを製造することができる。
【００１５】
また、不純物を除去した前記寒天から作成した寒天を粉砕する工程をさらに具備することにより、石鹸素地などに加えられた際に偏りなく混合することが可能な天草エキスを製造することができる。
【００１６】
本発明における石鹸は、ゲル状の天草エキスが添加された石鹸素地を整形して製造されたことを特徴とする。
【００１７】
この構成では、天草エキスを含有する石鹸の天草特有の臭いを抑えることができる。
【００１８】
また、前記天草エキスは、粉砕されて前記石鹸素地に加えられることにより、天草エキスを偏りなく分散させることができる。
【００１９】
さらに、マルセイユ石鹸製法を用いて製造されることにより、オリーブオイルの濃度が高い天草エキス入り石鹸を提供することができる。
【００２０】
本発明における石鹸の製造方法は、ゲル状の天草エキスが添加された石鹸素地を整形して製造することを特徴とする。
【００２１】
この構成では、の天草特有の臭いを抑えた天草エキス含有石鹸を製造することができる。
【００２２】
また、本発明における石鹸の製造方法は、ゲル状の天草エキスを苛性ソーダ水溶液に添加する工程と、前記苛性ソーダ水溶液とオイルとを混合する工程とを具備する。
【００２３】
この構成では、の天草特有の臭いを抑えた天草エキス含有石鹸を製造することができる。
【００２４】
そして、前記天草エキスは、粉砕されていることにより、天草エキスが偏りなく分散された石鹸を製造することができる。
【００２５】
さらに、マルセイユ石鹸製法を用いて製造することにより、オリーブオイルの濃度が高く、天草エキスを含有する石鹸を製造することができる。
【発明の効果】
【００２６】
本発明では、寒天特有の臭いを脱臭すると共に、寒天エキスの冷蔵保存を可能とし、さらに、石鹸素地における寒天エキスの偏りを防止することが可能となる。
【発明を実施するための最良の形態】
【００２７】
以下、本発明に係る天草エキス、天草エキスの製造方法、石鹸及び石鹸の製造方法について詳細に説明する。
【実施例１】
【００２８】
本実施例では、天草エキスの製造方法の一例について説明する。
【００２９】
まず、天草４０gに水２Ｌを加えて沸騰直前まで加熱し、一旦火を止めて酢２０mlを加え、掻き混ぜた後、弱火でさらに１時間加熱する。
【００３０】
そして、火を止め、布などで残った固形物を濾して液体を分離し、分離した液体を冷却してゼリー状に固まらせ、寒天を作成する。
【００３１】
また、寒天を冷凍し、完全に凍結させた後に自然解凍する。そして、寒天から溶け出した水分を除去し、残った寒天（寒天繊維）を水で洗浄し、寒天繊維に付着している不純物を除去する。
【００３２】
その後、洗浄した寒天繊維（寒天）を再び冷凍し、完全に凍結させた後、自然解凍して寒天から溶け出した水分を除去し、残った寒天を水で洗浄する。
【００３３】
冷凍・洗浄を繰り返して精製した寒天に水を加えて総量を１Ｌとし、加熱して水に寒天を溶かした後、冷却してゼリー状に固め、完全に固まった寒天をミキサーにかけて粉砕し、所望の大きさに加工する。
【００３４】
なお、天草としては、「改良」という加工を施した天草、すなわち、海底から採取した天草を真水で洗い、乾燥させる工程を数回繰り返し、赤茶色から淡い琥珀色に変化した天草を用いる。この「改良」という加工を施した天草は、晒し天草ともいい、一般に「天草」と呼ばれて流通しているものである。
【００３５】
酢としては、例えば、穀物酢や米酢などの一般的に市販されている食酢や、酢酸濃度が食酢と同程度（約４vol.％）の酢酸溶液などを用いることができる。
【００３６】
本実施例では、寒天の凍結・解凍を繰り返して洗浄するため、寒天特有の臭いの源となる不純物を除去し、脱臭・精製することが可能であり、また、冷蔵してもゲル状（ゼリー状）のまま固形化しないため、冷蔵保存による長期保存が可能となる。
【００３７】
また、寒天繊維質を再び溶かしてゲル状に加工し直した後、ミキサなどで粉砕するため、例えば、寒天エキス入りの石鹸を製造する場合、細かく粉砕された状態で石鹸素地に加えることが可能であり、混合時の偏りを防止し、ほぼ均一に寒天エキスが拡散された石鹸を製造することができる。
【実施例２】
【００３８】
本実施例では、天草エキスを含有する石鹸の製造方法の一例について説明する。
【００３９】
まず、オリーブ油５００ml、ココナッツ油１２０ml、パーム油７０mlとを混ぜ合わせ、湯煎にかけて約４０℃に加熱し、オイルを作成する。
【００４０】
また、オイルとは別に、寒天エキス１００ml、製製水１５０ml、苛性ソーダ８３gを混ぜ合わせて苛性ソーダ水溶液を作成する。この際、水溶液の温度が６０〜８０℃程度に上昇するため、４０℃程度になるまで苛性ソーダ水溶液を冷ます。
【００４１】
そして、温度がそれぞれ約４０℃のオイルと苛性ソーダ水溶液とを混ぜ合わせ、撹拌器でおよそ２０分間撹拌した後、マヨネーズ状の粘度になるまで約１２時間、混合物を寝かせる。
【００４２】
その後、石鹸を整形する型に混合物を流し入れ、発泡スチロール製の箱などの保温容器に混合物を型ごと入れ、さらに約２４時間寝かせる。
【００４３】
混合物の全体が固まったら型から抜き出し、陽が入らず、風通しの良い場所で４週間以上（長いほど良い）熟成させることにより、石鹸が完成する。
【００４４】
本実施例では、オリーブオイルをベースとしたマルセイユ石鹸製法（油脂総量のうち７２％以上がオリーブオイル）を用いて、天草エキス（寒天成分）を約１０〜２０％添加した石鹸素地を作ることができる。
【００４５】
また、石鹸素地における天草エキスの偏りを防止し、さらに、石鹸素地に天然エッセンシャルオイルなどの香料を添加することにより、所望の香りを石鹸素地に添加することができる。
【００４６】
なお、本実施例では、マルセイユ石鹸製法で石鹸素地を作成しているが、他の製法で石鹸素地を作成しても良い。
【００４７】
このように本発明では、寒天特有の臭いの源となる不純物を寒天エキスから除去すると共に、寒天エキスの冷蔵保存による長期保存が可能となる。
【００４８】
また、マルセイユ石鹸製法による寒天エキス入りの石鹸素地を作ることが可能であり、所望の香りを石鹸素地に付けることも可能である。
【００４９】
さらに、天草エキスの脱臭・生成工程、ゲル状加工及びけん化の工程で、４０℃以上に熱を加えないコールドプロセス製法を用いることができる。